(57)【要約】【課題】一操作でディスプレイ、ＡＰ、ＰＣの各電源を連動させることが可能な表示システムを簡単な構成で実現すること。【解決手段】クライアント端末（６）と、ホストコンピュータ（２）と、クライアント端末−ホストコンピュータ間の中継を行うアクセスポイント（３）と、ホストコンピュータ（２）からのビデオ信号を表示する表示装置（１）とを含む表示システムにおいて、クライアント端末（６）が本システムの起動／遮断指示をアクセスポイント（３）に送信すると、アクセスポイント（３）は、クライアント端末（６）からの起動／遮断指示に応じた制御信号を、ホストコンピュータ（２）および表示装置（１）にそれぞれ送信する。そして、ホストコンピュータ（２）および表示装置（１）はそれぞれ、アクセスポイントからの制御信号に応じて起動／遮断動作を行う。【選択図】  図２
2004303078.tif 000002
【特許請求の範囲】
【請求項１】
クライアント端末と、ホストコンピュータと、クライアント端末−ホストコンピュータ間の中継を行うアクセスポイントと、ホストコンピュータからのビデオ信号を表示する表示装置とを含む表示システムであって、
クライアント端末は、本システムの起動／遮断指示をアクセスポイントに送信する手段を有し、
アクセスポイントは、クライアント端末からの起動／遮断指示に応じた制御信号を、ホストコンピュータおよび表示装置にそれぞれ送信する手段を有し、
ホストコンピュータおよび表示装置はそれぞれ、アクセスポイントからの制御信号に応じて起動／遮断動作を行うことを特徴とする表示システム。
【発明の詳細な説明】
【０００１】
【発明の属する技術分野】
本発明は、コンピュータによって制御される表示装置を有する表示システムの電源管理技術に関する。
【０００２】
【従来の技術】
近年、フロントプロジェクタ、リアプロジェクタ、プラズマディスプレイなどの大画面ディスプレイを中心に置き、表示画像を共有する電子会議システムなどが提案されている。このようなシステムは、大画面ディスプレイに接続されたパーソナルコンピュータ（ＰＣ）、ＰＣに対し表示用のファイルを送信するクライアント機器、およびＰＣとクライアント機器との仲立ちを行うアクセスポイント（ＡＰ）で構成されるのが通常である。クライアント機器とＡＰとの間は、有線ＬＡＮ、シリアルポートなどの有線手段でも接続可能であるが、その利便性から、ＢＬＵＥＴＯＯＴＨ、無線ＬＡＮなどの無線接続手段が用いられる場合が多い。
【０００３】
また、ＰＣ電源のリモート投入方法として、Ｗａｋｅ  ｏｎ  ＬＡＮという技術が提案されている。これはＬＡＮコントローラに、ＰＣの電源がオフ状態（ＡＣは供給されている状態）でもスタンバイ電源を供給しておき、特定の起動指示パケットのみをスキャンして、それを受信した時にシステムのメイン電源を投入するという技術である。
【０００４】
【発明が解決しようとする課題】
しかしながら上記従来例では、ＡＰ、ディスプレイ、ＰＣの各電源スイッチを操作者が別々に投入する必要があった。ＡＰには電源スイッチのない機種も存在するが、それでもなおディスプレイ、ＰＣの電源スイッチはそれぞれ別々に投入する必要があった。特に大画面ディスプレイがリアプロジェクタなどの大きな筐体を有する場合、ＰＣ、ＡＰがその筐体内部に配置されることも多く、ＰＣやＡＰの電源スイッチにアクセスすることが困難になっていた。
【０００５】
また、上記したようなＷａｋｅ  ｏｎ  ＬＡＮを用いてＰＣの電源をリモートで投入するためには、起動指示パケットを送出する別のＰＣが必要になってシステムの肥大化を招いていた。
【０００６】
本発明は上記問題に対処するためになされたものであり、一操作でディスプレイ、ＡＰ、ＰＣの各電源を連動させることが可能な表示システムを簡単な構成で実現することを目的としている。
【０００７】
【課題を解決するための手段】
本発明の一側面によれば、クライアント端末と、ホストコンピュータと、クライアント端末−ホストコンピュータ間の中継を行うアクセスポイントと、ホストコンピュータからのビデオ信号を表示する表示装置とを含む表示システムであって、クライアント端末は、本システムの起動／遮断指示をアクセスポイントに送信する手段を有し、アクセスポイントは、クライアント端末からの起動／遮断指示に応じた制御信号を、ホストコンピュータおよび表示装置にそれぞれ送信する手段を有し、ホストコンピュータおよび表示装置はそれぞれ、アクセスポイントからの制御信号に応じて起動／遮断動作を行うことを特徴とする表示システムが提供される。
【０００８】
【発明の実施の形態】
以下、図面を参照して本発明の好適な実施形態について詳細に説明する。
【０００９】
図１は、本実施形態における表示システムの概略を示す図である。この表示システムは典型的には電子会議システムとしての使用に好適なものである。本実施形態では、会議参加者が操作するクライアント機器としてＰＤＡを用い、ＰＤＡとＡＰ間を無線ＬＡＮにて接続する場合を例に説明する。
【００１０】
同図において、１は表示装置としてのプロジェクタ、２はプロジェクタ１にビデオ信号を送出するホストＰＣ、３はクライアント端末であるＰＤＡとホストＰＣ２との中継を行うＡＰであり、ホストＰＣ２およびＡＰ３はプロジェクタ１の筐体内部に設置されている。４はプロジェクタ１の表示領域、５はドアノブであり、このドアノブを操作することでプロジェクタ１の下部ドアが開閉して内部にアクセスすることができる。
【００１１】
図２は、本実施形態における表示システムの構成を示すブロック図である。
【００１２】
同図中、１、２、３は図１でも説明したように、それぞれプロジェクタ、ホストＰＣ、ＡＰであり、６は会議参加者が操作するクライアント端末としてのＰＤＡである。７は無線ＬＡＮ信号であり、ＡＰ３とＰＤＡ６とを接続してデータの送受信を行う。８は有線ＬＡＮ信号であり、ホストＰＣ２とＡＰ３とを接続してデータの送受信を行う。１０はビデオ信号であり、ホストＰＣ２から出力され、プロジェクタ１へ入力される。１１も有線ＬＡＮ信号であり、１５の基幹ＬＡＮとＡＰ３とを接続し、基幹ＬＡＮ上のサーバーＰＣ（不図示）とデータの送受信を行う。１６は制御信号としてのオン・オフ要求信号であり、ＡＰ３からプロジェクタ１に対して電源オン要求、あるいは電源オフ要求として送出される。これは、オン・オフ要求信号１６がＨＩＧＨレベルの時に電源オン要求、ＬＯＷレベルの時に電源オフ要求といった方法や、パルス列の種別で電源オン要求と電源オフ要求とを区別するといった方法がある。
【００１３】
図３は、プロジェクタ１の構成を示すブロック図であり、本発明に関わる部分のみ記載してある。
【００１４】
同図中、１２は電源部であり、１２１のスイッチング電源、１２２のメイン電源をオン・オフするスイッチ、１２３のＡＣ電力が供給されると自動的に出力されるスタンバイ電源、１２４のメイン電源、１２５のスイッチ１２２の制御端子等を有している。１３はワンチップマイコンで構成されるＣＰＵであり、１３２の出力ポート、１３３の入力ポート、１３４のプログラムや各種データ、エラーメッセージ等を記憶したＲＯＭ、１３５のプログラムをロードして実行したり各種ワークとして使用するＲＡＭ、１３６のタイマ、１３７のシステムバス等を有している。ここで、スタンバイ電源１２３はＣＰＵ１３に供給されており、プロジェクタ１にＡＣ電力が供給されるとスタンバイ電源１２３が出力されて、ＣＰＵ１３が動作を開始する。メイン電源１２４は表示制御部１４を含む不図示の各部へ供給されているが、このメイン電源１２４をオン・オフ制御する制御端子１２５にはＣＰＵ１３の出力ポート１３２が接続され、ＣＰＵ１３の制御下でメイン電源１２４をオン・オフする。また、入力ポート１３３には前述のＡＰ３からのオン・オフ要求信号１６が接続されており、該信号の状態をポーリングするのに使用する。１４はホストＰＣ２からビデオ信号１０の入力される表示制御部であり、前述のシステムバス１３７を介してＣＰＵ１３に接続されてＣＰＵ１３の制御下で動作する。
【００１５】
図４はＡＰ３の構成を示すブロック図である。
【００１６】
同図中、３０はＡＰ３の全体制御を司るＣＰＵであり、３８のシステムバスを有している。３２はプログラムをロードして実行したり各種ワークとして使用するＲＡＭ、３１はプログラムや各種データを記憶したＲＯＭである。このＲＯＭ３１は、少なくとも一部にＦＬＡＳＨ−ＲＯＭ、あるいはＥＥＰＲＯＭ等の書き換え可能な不揮発性素子を使用し、ＡＰ３の各種設定を記憶する。これにより、ＡＰ３の電源が遮断された場合でも、各種設定が無効になることはない。３７は出力ポートであり、ＣＰＵ３０の制御下で、プロジェクタ１へのオン・オフ要求信号１６を出力する。３４、３５は有線ＬＡＮの制御部であり、それぞれ有線ＬＡＮ信号８、１１がホストＰＣ２、基幹ＬＡＮ１５に接続され、データの送受信が可能になっている。３６は無線ＬＡＮ制御部であり、無線クライアント機器であるＰＤＡ６との接続に使用される。ＡＰ３はＣＰＵ３０の制御下で、有線ＬＡＮ制御部３４に接続されたホストＰＣ２、有線ＬＡＮ制御部３５に接続された基幹ＬＡＮ上のサーバー（不図示）、および無線ＬＡＮ制御部３６に接続された無線クライアント機器、それぞれの間のデータ転送を制御する。
【００１７】
図５は、ホストＰＣ２の構成を示すブロック図である。
【００１８】
同図中、２０はホストＰＣ２の全体制御を司るＣＰＵおよびその周辺回路で、２６のシステムバスを有している。以下の２１〜２５の構成要素はこのシステムバス２６に接続されている。２３はプログラムをロードして実行したり、各種ワークとして使用するメモリ、２１は表示制御部でありプロジェクタ１へビデオ信号１０を出力する。２４はハードディスク、フロッピディスクなどの記憶装置、２２はキーボード、マウスなどの入力装置である。２５は有線ＬＡＮ制御部であり、電源制御出力２５１を有し、有線ＬＡＮ信号８によってＡＰ３の有線ＬＡＮ制御部３４と接続されている。２８はＯＲゲート素子であり、その入力には有線ＬＡＮ制御部２５の電源制御出力２５１と、システムバス２６よりシステムからの電源制御出力２６１が接続され、その出力は後述の電源制御端子２７３に接続されている。２７は電源部であり、ＡＣ電力が供給されると出力されるスタンバイ電源２７１、メイン電源２７２、およびメイン電源をオン・オフする電源制御端子２７３とを有している。スタンバイ電源２７１は有線ＬＡＮ制御部２５、ＯＲゲート素子２８に供給され、メイン電源２７２はＰＣ２の各部に供給されている。前述の電源制御出力２５１と電源制御出力２６１とはどちらも正のパルス出力であり、それをＯＲゲート２８でＯＲをとって電源制御端子２７３へ出力している。電源制御端子２７３は正パルスでオンとオフがトグルするようになっている。
【００１９】
以上の構成により、ＬＡＮ信号８で起動パケットを受け取ると、有線ＬＡＮ制御部２５は電源制御出力２５１により、ＯＲゲート素子２８を経由してメイン電源２７２をオンにしてシステムを起動することが可能である。
【００２０】
図６は、ＰＤＡ６の構成を示すブロック図である。
【００２１】
同図中、６０はＰＤＡ６の全体制御を司るＣＰＵであり、６７のシステムバスを有している。以下の６１から６５の構成要素はこのシステムバス６７に接続されている。６２はプログラムをロードして実行したり各種ワークとして使用するＲＡＭ、６１はプログラムや各種データを記憶したＲＯＭである。このＲＯＭ６１もＡＰ３のＲＯＭ３１と同様に、少なくとも一部にＦＬＡＳＨ−ＲＯＭ、あるいはＥＥＰＲＯＭ等の書き換え可能な不揮発性素子を使用し、ＰＤＡ６のプログラムや各種設定を記憶する。６３はタッチパネルや入力キーからなる入力部、６４は表示制御部であり、ＣＰＵ６０の制御下で、液晶ディスプレイからなる表示部６６への表示を行う。６５は無線ＬＡＮ制御部であり、ＡＰ３との接続に使用される。
【００２２】
本実施形態における表示システムの構成は概ね上記のとおりである。次に、この表示システムの動作を詳しく説明する。
【００２３】
まず、システムを起動する際の動作について説明する。
【００２４】
実施形態における表示システムの電源投入および遮断の指示は、ＰＤＡ６からの一操作で行うことが可能である。図７は、ＰＤＡ６でユーザーが本システムの起動を指示するためのプログラムによる画面表示例であり、これは表示部６６に表示される。ユーザーがシステム全体の起動をするときに本プログラムを起動する。
【００２５】
図中０１、０２および０３はＡＰの名称を示す。これは、本システムが複数存在するときに、目的のアクセスポイント（ＡＰ）を選択するための画面であり、あらかじめＲＯＭ６１の不揮発部に登録しておく必要がある。図７の例では０１はＲｏｏｍ１−ＡＰ、０２はＲｏｏｍ２−ＡＰおよび０３はＲｏｏｍ３−ＡＰと３つが登録されている。このＡＰ３の名称は、ＰＤＡ６への登録へ先立ち、ＡＰ３へ設定しておく必要があるが、ＡＰ３の設置してある会議室名をその名称の一部に用いると判別しやすく好ましい。ここで、実際にシステムを起動するには、タッチパネル（入力部６３）で目的のＡＰが表示されている部分をタップした後、ＰｏｗｅｒＯＮボタンをタップして行う。この操作により、ＰＤＡ６の無線ＬＡＮ制御部６５から無線ＬＡＮ信号７により、ＡＰ３へ起動指示を送付する。すなわち、ＡＰ３に対して無線接続を確立し、無線信号７にて起動指示コマンドを送信する。
【００２６】
図８は、実施形態におけるＡＰ３の初期動作を示すフローチャートである。
【００２７】
この初期動作は、ステップＳ３００で、ＡＰ３にＡＣパワーが供給された時点で開始する。ＡＣパワーが供給されると、ステップＳ３０１でＣＰＵ３０が動作を開始する。この状態では、ＣＰＵ３０の周辺ではＲＯＭ３１、ＲＡＭ３２、および無線ＬＡＮ制御部３６のみアクティブになっている。
【００２８】
続くステップＳ３０２では、無線ＬＡＮ制御部３６を用いて無線ＬＡＮ信号７により起動指示コマンドが送られて来たかどうかをチェックし、起動指示コマンドが送られて来ればステップＳ３０３へ進み、起動指示コマンドが送られて来なければステップＳ３０２でループする。このステップＳ３０２でのループがＡＣパワー供給後の電源オフ状態であり、ＣＰＵ３０は低消費電力モードで動作する。この低消費電力モード動作については公知の技術なのでここでの説明は省略する。
【００２９】
ステップＳ３０３では、起動指示コマンドを送ってきた機器が起動指示の許可された機器であるかどうかのチェックを行う。すなわち、あらかじめＲＯＭ３１の不揮発部に、起動指示を許可する機器のたとえばＭＡＣアドレスを設定、記憶しておき、起動指示を送ってきた機器のＭＡＣアドレス、この場合ＰＤＡ６の無線ＬＡＮ制御部６５のＭＡＣアドレスと比較して、一致するかどうかをチェックする。一致すればステップＳ３０４へ進み、一致しなければステップＳ３０５でＰＤＡ６との無線接続を遮断した後、ステップＳ３０２へ戻る。
【００３０】
ステップＳ３０４では、出力ポート３７、有線ＬＡＮ制御部３４、３５等を初期化しアクティブにした後、ステップＳ３０６へ進む。ステップＳ３０６では、オン・オフ要求信号１６をオン要求状態にしてプロジェクタ１へ送出し、ステップＳ３０７へ進む。ステップ３０７では、有線ＬＡＮ制御部３４から、有線ＬＡＮ信号８で、ホストＰＣ２に対してＷａｋｅ  ｏｎ  ＬＡＮ対応の起動パケットを送信後、ステップＳ３０８で通常動作を開始する。
【００３１】
図９は、実施形態におけるプロジェクタ１の初期動作を示すフローチャートである。
【００３２】
この初期動作は、ステップＳ１００で、プロジェクタ１にＡＣパワーが供給された時点で開始する。ＡＣパワーが供給されると、ステップＳ１０１でＣＰＵ１３に対し電源１２３が供給され、ＣＰＵ１３が動作を開始する（ステップＳ１０２）。動作を開始したＣＰＵ１３は、ステップＳ１０３で入力ポート１３３を介してオン・オフ要求信号１６の状態を読出し、オン要求状態になるのを待つ。すなわち、ＡＰ３からオン要求が出力されるまでステップＳ１０３でループし、オン要求が到来したらステップＳ１０４へ進む。このステップＳ１０３でのループがＡＣパワー供給後の電源オフ状態であり、スタンバイ電源１２３は供給されているが、メイン電源である電源１２４は供給されていない。
【００３３】
オン要求が到来してステップＳ１０４に進むと、ＣＰＵ１３は出力ポート１３２を操作して、電源部１２のスイッチ１２２をオンにし、メイン電源である電源１２４をプロジェクタ１の各部に供給開始する。続いてステップＳ１０５では、表示制御部１４に対しホストＰＣ２からビデオ信号１０が送出されているかどうかのチェックを行い、送出されていればステップＳ１１２へ進んで通常動作を開始する。ステップＳ１０５でビデオ信号１０がホストＰＣ２より送出されているということは、ホストＰＣ２の電源が投入され、正常に動作を開始したということである。ステップＳ１０５でビデオ信号が送出されていない場合には、ステップＳ１０６へ進む。
【００３４】
ステップＳ１０６ではＣＰＵ１３内のタイマ１３６を使用し、所定時間（例えば２分間）を計測する。すなわち、２分以内であればステップＳ１０５へ戻って、ステップＳ１０５、Ｓ１０６でループを行い、２分を過ぎた場合にはステップＳ１０７へ進む。ここで、２分のタイムアウトをしてステップＳ１０７へ来る場合は、何らかの原因でＰＣ２が正常に動作していないと判断される場合である。よってステップＳ１０７では、表示制御部１４を制御してプロジェクタ１の表示領域４へ、例えば『ビデオ信号が来ていません。パーソナルコンピュータをご確認下さい。』といったエラーメッセージを表示した後、ステップＳ１０８へ進む。
【００３５】
ステップＳ１０８では、再度ビデオ信号１０のチェックを行う。ステップＳ１０７でのエラー表示を確認したユーザーが、エラーの原因を取り除いた場合には、ビデオ信号１０がＰＣ２から送出され始めるので、ステップＳ１０９へ進んでエラー表示をクリアした後、ステップＳ１１３で通常動作を開始する。
【００３６】
ステップＳ１０８でビデオ信号１０が送出されない場合には、ステップＳ１１０へ進んでオン・オフ要求信号１６がオフ要求になっているかをチェックし、オフ要求になっていない場合にはステップＳ１０８へ戻る。すなわち、ビデオ信号１０が送出されるか、あるいはオフ要求が来るまでステップＳ１０８、Ｓ１１０でループする。ステップＳ１１０で、オフ要求が来た場合には、ステップＳ１１１で出力ポート１３２により電源１２４を遮断して、ステップＳ１０３へ戻る。
【００３７】
ステップＳ１０３でのループは前述のように電源オフ状態である。以上述べたように、プロジェクタ１は所定時間内にビデオ信号１０が送出された場合には通常動作を行い、所定時間を超えてもビデオ信号１０が送出されない場合にはエラーメッセージを表示する。さらに、エラーメッセージ表示後にビデオ信号１０が送出された場合にはエラー表示をクリアした後通常動作を行い、オフ要求が来た場合には電源をオフするように動作する。
【００３８】
以上述べた中で、ステップＳ１０３で電源オン要求状態と判定するのは、図８のステップＳ３０６を受けてのことである。すなわち、ＡＰ３が起動指示の許可されたＰＤＡ６からの起動指示を受け（ステップＳ３０２、３０３）、ステップＳ３０６でプロジェクタ１に対してオン要求を送信し、それを受けたプロジェクタ１はステップＳ１０３でそれを検出しそれ以降のステップを実行している。
【００３９】
図１０は、実施形態におけるホストＰＣ２の初期動作を示すフローチャートである。
【００４０】
この初期動作は、ステップＳ２００で、ＰＣ２にＡＣパワーが供給された時点で開始する。ＡＣ電力が供給されると、ステップＳ２０１でスタンバイ電源２７１が供給開始され、有線ＬＡＮ制御部２５に給電が開始される（ステップＳ２０２）。給電された有線ＬＡＮ制御部２５はＷａｋｅ  ｏｎ  ＬＡＮ機能により、起動パケットを受信するまでステップＳ２０３でループする。このステップＳ２０３でのループがＡＣパワー供給後の電源オフ状態である。
【００４１】
ステップＳ２０３で有線ＬＡＮ制御部２５は起動パケットを受け取ると、電源投入指示出力２５１によりＯＲゲート素子２８を経由して電源部２７へ指示を送り、メイン電源２７２をオンにしてホストＰＣ２を起動する（ステップＳ２０４）。以降はステップ２０５より通常動作を開始する。
【００４２】
以上述べた中で、ステップＳ２０３で起動パケットを受け取るのは図８のステップＳ３０７を受けてのことである。すなわち、ＡＰ３が起動指示の許可されたＰＤＡ６からの起動指示を受け（ステップＳ３０２、３０３）、ステップＳ３０７でホストＰＣ２に対して起動パケットを送信し、それを受けたホストＰＣ２はステップＳ２０３でそれを検出し、ステップＳ２０４でＰＣ２の起動を実行している。
【００４３】
以上説明した図８〜１０のフローチャートによる動作によれば、ＰＤＡ６からの起動指示→ＡＰ３起動→ＡＰ３からホストＰＣ２へ起動パケット送信→ホストＰＣ２起動、および、ＡＰ３起動→ＡＰ３からプロジェクタ１へオン要求送出→プロジェクタ１起動（ホストＰＣ２起動後に起動完了）、のように連動することが理解されよう。
【００４４】
続いて、システム全体を終了する際の動作について説明する。
【００４５】
図１１は、ＰＤＡ６でユーザーが本システムの終了を指示するためのプログラムによる画面表示例であり、これは表示部６６に表示される。図７との違いは、ＰｏｗｅｒＯＮボタンがＰｏｗｅｒＯＦＦボタンになっている１点である。ユーザーがシステム全体の遮断をするときに本プログラムを起動し、タッチパネル（入力部６３）で目的のＡＰが表示されている部分をタップした後、ＰｏｗｅｒＯＦＦボタンをタップして遮断指示を行う。この操作により、ＰＤＡ６の無線ＬＡＮ制御部６５から無線ＬＡＮ信号７により、ＡＰ３へ遮断指示を送付する。通常、本システムを電子会議等に用いる場合、ＰＤＡ６とＡＰ３の無線接続は確立済なので、ＡＰ３に対して無線信号７にて遮断指示コマンドを送信する。もし無線接続が確立していない場合には、無線接続を確立した後、無線信号７にて遮断指示コマンドを送信する。
【００４６】
図１２は、実施形態におけるＡＰ３の終了動作を示すフローチャートである。
【００４７】
この終了動作は、ＰＤＡ６からの遮断指示コマンドを受信した時点で開始する（ステップＳ３５０）。ＣＰＵ３０は無線ＬＡＮ制御部３６によって遮断指示コマンドを受信すると、ステップＳ３５１で、遮断指示コマンドを送ってきた機器が遮断指示の許可された機器であるかどうかのチェックを行う。すなわち、あらかじめＲＯＭ３１の不揮発部に、遮断指示を許可する機器のＭＡＣアドレスを設定、記憶しておき、遮断指示を送って来た機器のＭＡＣアドレス、この場合ＰＤＡ６の無線ＬＡＮ制御部６５のＭＡＣアドレスと比較して、一致するかどうかをチェックする。これは図８のステップＳ３０３と同様の処理であり、起動指示と遮断指示とは同一の機器に許可されるのが普通である。ここで、一致すればステップＳ３５２へ進み、一致しなければ本プログラムを呼び出したメインフロー（図示せず）へ戻る（ステップＳ３５５）。
【００４８】
ステップＳ３５２ではオン・オフ要求信号１６をオフ要求状態にしてプロジェクタ１へ送出し、ステップＳ３５３へ進む。Ｓ３５３では有線ＬＡＮ制御部３４を制御し、ホストＰＣ２に対してあらかじめ定めた遮断パケットを送る。続いてステップＳ３５４で終了処理を行う。これは有線ＬＡＮ制御部３４、３５、出力ポート３７等を非アクティブ化する処理であり、終了後図８のステップＳ３０２へ戻る。このステップＳ３０２でのループは、前述したように電源オフ状態となる。
【００４９】
図１３は、実施形態におけるホストＰＣ２の終了動作を示すフローチャートである。
【００５０】
ホストＰＣ２は前述のＡＰ３からの遮断パケットを解釈し、遮断処理を実行する必要がある。ここでは、これに対応した遮断ソフトウェアをホストＰＣ２に常駐させておくことでこの処理を実行する。なお、遮断ソフトウェアはホストＰＣ２が起動し、オペレーションシステム（以下ＯＳ）が動作開始したところで自動的に起動、常駐するようにしておく必要がある。本終了処理はＡＰ３からの遮断パケットを遮断ソフトウェアが検出した時点で開始する（ステップＳ２５０）。
【００５１】
まずステップＳ２５１では、動作中のプログラムがあればそれを終了し、続いてステップＳ２５２でＯＳ自体の終了を行う。次のステップＳ２５２では、システムからの電源制御出力２６１により、ＯＲゲート素子２８を経由して電源部２７を制御し、メイン電源２７２を遮断する（ステップＳ２５３）。メイン電源２７２の遮断後は、図１０のステップＳ２０３に戻る。前述したように、このステップＳ２０３でのループは電源オフ状態である。
【００５２】
また、本フローが開始するのは、図１２のステップＳ３５３を受けてのことである。すなわち、ＡＰ３がＰＤＡ６より遮断指示コマンドを受けて、ステップＳ３５３でホストＰＣ２に対して遮断パケットを送信し、それを受けたＰＣ２は本フローを実行して遮断処理を行う。
【００５３】
図１４は、実施形態におけるプロジェクタ１の終了動作を示すフローチャートである。
【００５４】
この終了動作は、図１２のステップＳ３５２を受けて開始する（ステップＳ１５０）。プロジェクタ１はＡＰ３からからオフ要求を受けると、ステップＳ１５１でビデオ信号１０のチェックを行い、ビデオ信号１０が消滅していればステップＳ１５５へ進んでプロジェクタ１の終了処理を行う。ステップＳ１５１でホストＰＣ２からのビデオ信号１０が消滅しているということは、前述図１３のステップが実行され、ホストＰＣ２が正常に終了したということである。Ｓ１５１でビデオ信号１０が消滅していない場合には、ステップＳ１５２へ進む。
【００５５】
ステップＳ１５２ではＣＰＵ１３内のタイマ１３６を使用し、所定時間（例えば２分間）を計測する。すなわち、２分以内であればステップＳ１５１へ戻って、ステップＳ１５１、Ｓ１５２でループを行い、２分を過ぎた場合にはステップＳ１５３へ進む。ここで、２分のタイムアウトをしてステップＳ１５３へ来る場合は、何らかの原因でホストＰＣ２が正常に終了していないと判断される場合である。よってステップＳ１５３では、表示制御部１４を制御して、プロジェクタ１の表示領域４へ、例えば『パーソナルコンピュータが終了していません。ご確認下さい。』といったエラーメッセージを表示した後、ステップＳ１５４へ進む。
【００５６】
ステップＳ１５４では、再度ビデオ信号１０のチェックを行う。ステップＳ１５３でのエラー表示を確認したユーザーが、エラーの原因を取り除いた場合には、ホストＰＣ２が終了しビデオ信号１０が消滅するので、やはりステップＳ１５５へ進んでプロジェクタ１の終了処理を行う。ステップＳ１５５で終了処理を終えた後は、ステップＳ１５６に進んで出力ポート１３２を用いて電源１２４を遮断し、図９のステップＳ１０３へ戻る。このステップＳ１０３でのループは前述のように電源オフ状態である。
【００５７】
以上述べたように、プロジェクタ１は所定時間内にビデオ信号１０が消滅した場合には通常の終了動作を行い、所定時間を超えてもビデオ信号１０が消滅しない場合にはエラーメッセージを表示する。さらに、エラーメッセージ表示後にもビデオ信号のチェックを行って、やはりビデオ信号１０が消滅した場合には終了動作を行う。すなわち、プロジェクタ１は、ビデオ信号が消滅しない場合には遮断処理を行わずウエイトし、ビデオ信号が消滅した場合には遮断処理を実行する。
【００５８】
以上説明した図１２〜１４のフローチャートによる動作によれば、ＰＤＡ６からの遮断指示→ＡＰ３からホストＰＣ２へ遮断パケット送信→ホストＰＣ２遮断、および、ＰＤＡ６からの遮断指示→ＡＰ３からプロジェクタ１へオフ要求送出→プロジェクタ１遮断（ホストＰＣ２遮断後）、のように連動することが理解されよう。
【００５９】
以上述べて来たように、ＡＰ３がＰＤＡ６からの無線ＬＡＮによる起動・遮断指示コマンドを受け、ＡＰ３からプロジェクタ１に対してはオン・オフ要求信号を送出し、ＡＰ３からホストＰＣ２に対してはＬＡＮ上で起動・遮断パケットを送信する構成を取ったので、ＰＤＡ６の操作に対してＡＰ３、ホストＰＣ２、プロジェクタ１の電源を連動させるシステムが実現可能となり、プロジェクタ１の筐体内部にホストＰＣ２、ＡＰ３が配置されている場合でも、プロジェクタ１内部にアクセスする必要がなくなる。
【００６０】
また、起動時にはホストＰＣ２からプロジェクタ１へのビデオ信号出力を確認し、遮断時にはホストＰＣ２からプロジェクタ１へのビデオ信号消滅を確認することで、正常な電源連動が確認できる。逆に異常状態も検出できるので、異常時にプロジェクタ１にエラーメッセージを表示することが可能となり、ユーザーにエラーの発生を知らしめることが可能なシステムを実現できる。
【００６１】
さらに、起動・遮断指示コマンドを受付けるＰＤＡを、ＭＡＣアドレスの登録された特定のＰＤＡのみに限定することで、システム起動者を限定するセキュリティの高いシステムを実現できる。
【００６２】
以下、変形例を挙げる。
【００６３】
第１に、上述の実施形態では、ＰＤＡ６とＡＰ３との間を無線ＬＡＮで接続して、起動・遮断指示コマンドを送信したが、ここにはＩＥＥＥ８０２．１１、８０２．１１ｂ、８０２．１１ａ等種々の手段を用いることが可能であるし、ＢＬＵＥＴＯＯＴＨ（ＢＴ）等の無線接続手段を用いてもよい。無線ＬＡＮの場合、ＭＡＣアドレスにてＰＤＡを判別し、起動・遮断指示コマンドを受付けるかどうかを判定したが、ＢＬＵＥＴＯＯＴＨの場合には、ＢＴアドレスを用いて判別すれば良い。すなわち、クライアント機器の判別には、その無線部の物理アドレスを用いれば何ら問題がない。
【００６４】
第２に、上述の実施形態では、クライアント端末としてＰＤＡを例に説明したが、携帯機器であればその利便性を損なうことがないので、ノートＰＣ、携帯電話などを用いることも可能である。
【００６５】
第３に、上述の実施形態では、ＡＰ３とプロジェクタ１との間をオン・オフ要求信号１６で接続したが、シリアル接続、ＵＳＢ接続など他の有線接続手段や、８０２．１１、ＢＴなど種々の無線手段を用いても良い。
【００６６】
第４に、上述の実施形態では、ＡＰは遮断する電源のない例で説明したが、プロジェクタやホストＰＣの電源で説明したように、スタンバイ電源とメイン電源のように遮断の有無で電源を分離したものであってもよい。
【００６７】
第５に、上述の実施形態で説明した、電源１２３、１２４、２７１、２７２などは単一の電源出力とは限らず、複数種類の電源出力を有している場合もある。
【００６８】
第６に、上述の実施形態ではプロジェクタの筐体内部にＡＰとＰＣを配置する例をあげたが、これに限定されるものではない。例えばフロントプロジェクタを使用する場合、明らかにＡＰとＰＣとを内蔵できないが、本発明を適用するのに何ら問題はない。
【００６９】
【発明の効果】
本発明によれば、一操作でディスプレイ、ＡＰ、ＰＣの各電源を連動させることが可能な表示システムを簡単な構成で実現することができる。
【図面の簡単な説明】
【図１】実施形態における表示システムの概略を示す図である。
【図２】実施形態における表示システムの構成を示すブロック図である。
【図３】実施形態におけるプロジェクタの構成を示すブロック図である。
【図４】実施形態におけるアクセスポイントの構成を示すブロック図である。
【図５】実施形態におけるホストＰＣの構成を示すブロック図である。
【図６】実施形態におけるＰＤＡの構成を示すブロック図である。
【図７】ＰＤＡでユーザーが本システムの起動を指示するためのプログラムによる画面表示例を示す図である。
【図８】実施形態におけるＡＰの初期動作を示すフローチャートである。
【図９】実施形態におけるプロジェクタの初期動作を示すフローチャートである。
【図１０】実施形態におけるホストＰＣの初期動作を示すフローチャートである。
【図１１】ＰＤＡでユーザーが本システムの終了を指示するためのプログラムによる画面表示例を示す図である。
【図１２】実施形態におけるＡＰの終了動作を示すフローチャートである。
【図１３】実施形態におけるホストＰＣの終了動作を示すフローチャートである。
【図１４】実施形態におけるプロジェクタの終了動作を示すフローチャートである。
【図１】
2004303078.tif 000003
【図２】
2004303078.tif 000004
【図３】
2004303078.tif 000005
【図４】
2004303078.tif 000006
【図５】
2004303078.tif 000007
【図６】
2004303078.tif 000008
【図７】
2004303078.tif 000009
【図８】
2004303078.tif 000010
【図９】
2004303078.tif 000011
【図１０】
2004303078.tif 000012
【図１１】
2004303078.tif 000013
【図１２】
2004303078.tif 000014
【図１３】
2004303078.tif 000015
【図１４】
2004303078.tif 000016